(57)【要約】【課題】洗顔時や台所での洗い物時等に衣服の袖口や袖が濡れるのを防ぐことができ、しかも、ズレ下がることなく使用しやすい腕カバーを提供する。【解決手段】手首１０ａの外周に弾着可能で吸水性を有するスポーツ用のリストバンド１と、このリストバンド１の一端縁に連結されて同軸状に肘１０ｂ側へ延びて腕１０の外周を覆う腕カバー部２で構成されている。【選択図】図１
0003181822.tif 000002
【実用新案登録請求の範囲】
【請求項１】
手首外周に弾着可能で吸水性を有するスポーツ用のリストバンドと、
該リストバンドの一端縁に連結されて同軸状に肘側へ延びて腕の外周を覆う腕カバー部で構成されていることを特徴とする腕カバー。
【請求項２】
前記腕カバー部の前記リストバンドと反対側の端縁に連結されて、裏返すことにより鍋つかみとして使用可能なキルティング部を備えている請求項１に記載の腕カバー。
【請求項３】
前記腕カバー部あるいは前記キルティング部には、吊り下げ用の吊り下げリング部が設けられている請求項１または請求項２に記載の腕カバー。
【請求項４】
前記腕カバー部に、腕の外周に弾着可能な弾性帯部を設けた請求項１または請求項２または請求項３に記載の腕カバー。
【考案の詳細な説明】
【技術分野】
【０００１】
本考案は、洗顔時，台所での洗い物時等に衣服の袖口や袖が濡れることを防ぐ腕カバーに関するものである。
【背景技術】
【０００２】
従来、洗顔時に衣類の袖口を濡らさないようにする手首用水侵入防止ガードがあった。
【先行技術文献】
【特許文献】
【０００３】
【特許文献１】特開２００９−２２８１９６号公報
【考案の概要】
【考案が解決しようとする課題】
【０００４】
上記特許文献１に開示されている手首用水侵入防止ガードは、中央に手首装着用穴を開口し、穴の周囲全体の材質をラテックスで構成した円盤状のものであるが、円盤状であるため、洗顔時等に外側へ突出した部分が顔に当たる等して使いにくいという問題点があった。
【課題を解決するための手段】
【０００５】
本考案は、使いやすく、洗顔時や台所での洗い物時等に衣類の袖口や袖が濡れることのない腕カバーの提供を目的とし、この目的の少なくとも一部を達成するために以下の手段を採った。
本考案の腕カバーは、手首外周に弾着可能で吸水性を有するスポーツ用のリストバンドと、該リストバンドの一端縁に連結されて同軸状に肘側へ延びて腕の外周を覆う腕カバー部で構成されていることを要旨とする。
【考案の効果】
【０００６】
リストバンドを手首外周に弾着させて、腕カバー部で腕の外周を覆うことができ、洗顔時や台所での洗い物時あるいは調理時等に、手首を伝わって肘側に流れる水や溶液等をリストバンドで確実に吸水して、衣服の袖口や袖が濡れたり汚れたりすることを防ぐことができ、着用しやすく、外側へ突出するものがないため洗顔作業等を良好に行うことができる。
【０００７】
また、本考案の腕カバーにおいて、前記腕カバー部の前記リストバンドと反対側の端縁に連結されて、裏返すことにより鍋つかみとして使用可能なキルティング部を備えているものとすることもできる。
こうすれば、キルティング部および腕カバー部を裏返して、キルティング部を手の外周側に移動させることで、キルティング部を鍋つかみとして使用することができ、熱いレンジの皿等を良好に掴むことができ、調理時等に有効に使用することができる。
【０００８】
また、本考案の腕カバーにおいて、前記腕カバー部あるいは前記キルティング部には、吊り下げ用の吊り下げリング部が設けられているものとすることもできる。
こうすれば、吊り下げリング部をフックに引っ掛けて、腕カバーを吊り下げ状にして良好に乾かすことができる。
【０００９】
また、本考案の腕カバーにおいて、前記腕カバー部に、腕の外周に弾着可能な弾性帯部を設けたものとすることもできる。
こうすれば、弾性帯部を介して腕カバー部を腕の外周にずれることなく配置させることができ、腕カバー部がズレ落ちることが防がれて、洗顔や台所での洗い物等の作業がし易くなる。
【図面の簡単な説明】
【００１０】
【図１】第１実施例の腕カバーの装着状態の斜視構成図である。
【図２】第２実施例の腕カバーの装着状態の斜視構成図である。
【図３】図２の腕カバーのキルティング部および腕カバー部を裏返して鍋つかみとして使用する状態を示す斜視構成図である。
【考案を実施するための形態】
【００１１】
次に、本考案を実施するための形態を実施例を用いて説明する。
図１は、第１実施例の腕カバーの装着状態の斜視構成図であり、腕カバーは、リストバンド１と腕カバー部２が連結されて一体化されて構成されている。
【００１２】
リストバンド１は、手首１０ａの外周に弾着可能な弾性を有するとともに、吸水率の高い綿あるいは綿とポリエステルなどの織編物で形成されて吸水性を備えたものである。
このリストバンド１は、テニスプレーヤーが試合中に汗が手に流れて手が滑ることを防ぐため等に使用される市販のスポーツ用のものであり、相当の幅長を有して手首１０ａ全体を包み込むことができる筒状に形成されており、このリストバンド１内に手１１を差し込んで、良好に手首１０ａの外周に弾着させることができるものである。
【００１３】
腕カバー部２は、一端縁がリストバンド１の端縁に縫い合わせ等で連結されており、リストバンド１と同軸状に腕１０の肘１０ｂ側へ延びる寸法に形成されている。
この腕カバー部２は、ポリエステルあるいはナイロン等の素材、あるいは綿で、リストバンド１側から肘１０ｂ側に向かって徐々に拡径したラッパ形の筒状に形成されており、手１１を、この腕カバー部２側からリストバンド１に向かって差し込むことができ、肘１０ｂ側がラッパ状に拡径されておれば、この腕カバー部２内に腕１０を通しやすく、腕カバーを容易に装着することができ、リストバンド１が手首１０ａの外周に配置されると、この腕カバー部２が腕１０の外周に配置される。
【００１４】
なお、この腕カバー部２の肘１０ｂ側の端縁側等の位置に、ゴム等で弾性帯部２ａを付設させておけば、この弾性帯部２ａが腕１０の外周に弾着して、腕カバー部２のずれを良好に防ぐことができるものとなり、装着して使用する際に腕カバー部２がズレ落ちることがなく、洗顔等の作業を良好に行うことができるものとなる。
【００１５】
このような腕カバーは、容易に装着して、洗顔時や台所での洗い物時あるいは調理時に使用することができ、手１１から肘１０ｂ側に流れる水や溶液等は、吸水性のリストバンド１で確実に吸水されるため、衣類の袖口や袖が濡れることはなく、また、リストバンド１が手首１０ａの外周に弾着しているためにズレ下がることもない。また、腕カバー部２により衣服の袖の汚れ等も良好に防ぐことができる。
このように、衣服の袖口や袖が濡れることはないため、腕まくりすることなく洗顔や台所での洗い物等を良好に行えるものとなる。
【００１６】
なお、腕カバー部２は、表面が防水加工されていても良く、また、腕カバー部２やリストバンド１には、様々な色の模様や文字をプリントしてファッション性を向上させることができる。
なお、腕カバー部２の肘１０ｂ側の端縁には、吊り下げ用の吊り下げリング部３を設けておけば、吊り下げリング部３をフックに引っ掛けて、腕カバーを吊り下げ状にして良好に乾かすことができる。
【００１７】
次に、図２は、第２実施例を示すものであり、図２の第２実施例では、腕カバー部２のリストバンド１と反対側の端縁に縫い合わせ等でキルティング部４を連結させたものである。
キルティング部４は、表布とキルト芯と裏布の三層を重ねて縫い合わせて形成したもので、肘１０ｂ側の腕１０の外周を環状に覆うものであり、重ね合わせ部４ｂの肘１０ｂ側に略Ｖ字状に開口部４ａが形成されており、この開口部４ａを介して良好に裏返して、手１１側へキルティング部４を裏返した状態で移動させてゆくと、図３に示すように、腕カバー部２も裏返し状態となり、やがてはキルティング部４が手１１の外周に配置されることとなり、この図３の状態では、キルティング部４を鍋つかみとして使用することができ、調理時等に熱いレンジの皿や鍋等を良好に掴んで調理作業を行うことができる。
【００１８】
即ち、このようなキルティング部４が設けられている場合には、衣類の袖口や袖が濡れないとともに、鍋つかみ用としても有効に利用することができるものである。
なお、キルティング部４の肘１０ｂ側の端縁には、吊り下げ用の吊り下げリング部３を設けておけば、吊り下げリング部３をフックに引っ掛けて、腕カバーを吊り下げ状にして良好に乾かすことができる。
【符号の説明】
【００１９】
１  リストバンド
２  腕カバー部
２ａ  弾性帯部
３  吊り下げリング部
４  キルティング部
４ａ  開口部
４ｂ  重ね合わせ部
１０  腕
１０ａ  手首
１０ｂ  肘
１１  手
【図１】
0003181822.tif 000003
【図２】
0003181822.tif 000004
【図３】
0003181822.tif 000005